(57)【要約】【課題】着用者の快適性を向上させることが可能になる、衣服を提供すること。【解決手段】着用者が介護業務に従事する際に着用する衣服１であり、前身頃１１と後身頃とを有する上衣を少なくとも備えた衣服１であって、前身頃１１における左側方部又は右側方部のうち、着用者の脇部よりも下方側の部分に対応する部分に、所定の基準値未満の通気性を有する第１非通気部４１及び第２非通気部４２を形成し、前身頃１１における左側方部又は右側方部のうち、第１非通気部４１及び第２非通気部４２よりも下方側の部分に、所定の基準値以上の通気性を有する第１側方通気部５１及び第２側方通気部５２を形成して構成されている。【選択図】図１
2018040080.tif 000002
【特許請求の範囲】
【請求項１】
着用者が医療業務、看護業務、又は介護業務に従事する際に着用する衣服であり、前身頃と後身頃とを有する上衣を少なくとも備えた衣服であって、
前記前身頃又は前記後身頃における左側方部又は右側方部のうち、着用者の脇部よりも下方側の部分に対応する部分に、所定の基準値未満の通気性を有する非通気部を形成し、
前記前身頃又は前記後身頃における左側方部又は右側方部のうち、前記非通気部よりも下方側の部分に、前記所定の基準値以上の通気性を有する側方通気部を形成した、
衣服。
【請求項２】
前記非通気部よりも上方側の部分に、前記所定の基準値以上の通気性を有する上方通気部であって、前記側方通気部から当該衣服の内部に吸気された空気を当該衣服の外部に排気するための上方通気部を形成した、
請求項１に記載の衣服。
【請求項３】
前記後身頃における前記着用者の一対の肩甲骨の間と対応する部分に、前記上方通気部を形成した、
請求項２に記載の衣服。
【請求項４】
前記着用者の腹と前記前身頃における前記着用者の腹に対応する部分との相互間に形成される隙間の変動量であって、前記着用者が所定動作を行うことに伴う前記隙間の変動量を増加させることにより、前記側方通気部の通気を促進させるための通気促進手段を、前記前身頃に形成した、
請求項１から３のいずれか一項に記載の衣服。
【請求項５】
前記隙間の変動量を調節するための調節手段を備えた、
請求項４に記載の衣服。
【請求項６】
前記側方通気部の一部のみが当該衣服の外側から覆われる位置に、第１ポケット部を設けた、
請求項１から５のいずれか一項に記載の衣服。
【請求項７】
前記側方通気部及び前記第１ポケット部の各々の一部のみが外側から覆われる位置に、第２ポケット部を設けた、
請求項６に記載の衣服。
【発明の詳細な説明】
【技術分野】
【０００１】
本発明は、衣服に関する。
【背景技術】
【０００２】
従来、着用者を冷却（クーリング）することにより、着用者の快適性を向上させるための衣服が提案されている。このような衣服としては、例えば、襟部分に通気路を形成した衣服が提案されている（例えば、特許文献１参照）。この衣服の襟部分は、複数の生地を相互に間隔を隔てて並設して構成されており、これら複数の生地の相互間に形成された通気路を介して衣服の内部の空気を換気することが可能となっている。
【先行技術文献】
【特許文献】
【０００３】
【特許文献１】特開２０１１−２３１４２３号公報
【発明の概要】
【発明が解決しようとする課題】
【０００４】
しかしながら、上記従来の衣服は、換気経路が襟部分の通気路に限定されていたため、着用者の首回りしか冷却することができず、着用者の胴部については冷却することができなかったので、着用者の快適性を向上させる観点から改善の余地があった。
【０００５】
本発明は、上記に鑑みてなされたものであって、着用者の快適性を向上させることが可能になる、衣服を提供することを目的とする。
【課題を解決するための手段】
【０００６】
請求項１に記載の衣服は、着用者が医療業務、看護業務、又は介護業務に従事する際に着用する衣服であり、前身頃と後身頃とを有する上衣を少なくとも備えた衣服であって、前記前身頃又は前記後身頃における左側方部又は右側方部のうち、着用者の脇部よりも下方側の部分に対応する部分に、所定の基準値未満の通気性を有する非通気部を形成し、前記前身頃又は前記後身頃における左側方部又は右側方部のうち、前記非通気部よりも下方側の部分に、前記所定の基準値以上の通気性を有する側方通気部を形成して構成されている。
【０００７】
請求項２に記載の衣服は、請求項１に記載の衣服において、前記非通気部よりも上方側の部分に、前記所定の基準値以上の通気性を有する上方通気部であって、前記側方通気部から当該衣服の内部に吸気された空気を当該衣服の外部に排気するための上方通気部を形成して構成されている。
【０００８】
請求項３に記載の衣服は、請求項１に記載の衣服において、前記後身頃における前記着用者の一対の肩甲骨の間と対応する部分に、前記上方通気部を形成して構成されている。
【０００９】
請求項４に記載の衣服は、請求項１から３に記載の衣服において、前記着用者の腹と前記前身頃における前記着用者の腹に対応する部分との相互間に形成される隙間の変動量であって、前記着用者が所定動作を行うことに伴う前記隙間の変動量を増加させることにより、前記側方通気部の通気を促進させるための通気促進手段を、前記前身頃に形成して構成されている。
【００１０】
請求項５に記載の衣服は、請求項４に記載の衣服において、前記隙間の変動量を調節するための調節手段を備えて構成されている。
【００１１】
請求項６に記載の衣服は、請求項１から５のいずれか一項に記載の衣服において、前記側方通気部の一部のみが当該衣服の外側から覆われる位置に、第１ポケット部を設けて構成されている。
【００１２】
請求項７に記載の衣服は、請求項６に記載の衣服において、前記側方通気部及び前記第１ポケット部の各々の一部のみが外側から覆われる位置に、第２ポケット部を設けて構成されている。
【発明の効果】
【００１３】
請求項１に記載の衣服によれば、前身頃又は後身頃における左側方部又は右側方部のうち、着用者の脇部よりも下方側の部分に対応する部分に、所定の基準値未満の通気性を有する非通気部を形成し、前身頃又は後身頃における左側方部又は右側方部のうち、非通気部よりも下方側の部分に、所定の基準値以上の通気性を有する側方通気部を形成したので、側方通気部のみを介して衣服の内部と外部の相互間で換気を行ったり、側方通気部を介して吸気した空気を衣服の襟口部や袖口部から排気して換気を行ったりすることができる（後述する煙突効果を利用した通気）。このため、従来のような着用者の首回りのみの冷却とは異なり、着用者の胴部全体を冷却することができ、着用者の快適性を向上させることが可能になる。
【００１４】
請求項２に記載の衣服によれば、非通気部よりも上方側の部分に、所定の基準値以上の通気性を有する上方通気部であって、側方通気部から衣服の内部に吸気された空気を衣服の外部に排気するための上方通気部を形成したので、側方通気部を介して吸気した空気を上方通気部を介して排気して換気することができる（後述する煙突効果を利用した通気）。このため、着用者の胴部全体を一層冷却することができ、着用者の快適性を一層向上させることが可能になる。また、側方通気部と上方通気部の相互間に非通気部を配置することで、これらを単に相互に連接させる場合に比べて、着用者の下着又は肌が透ける範囲を狭くすることができる。このため、着用者の下着又は肌が外部に露出することを抑制することができ、着用者の利便性を向上させることが可能になる。
【００１５】
請求項３に記載の衣服によれば、後身頃における着用者の一対の肩甲骨の間と対応する部分に、上方通気部を形成したので、特に着用者が後述する腕真上上げ起立状態になった場合に、着用者の一対の肩甲骨が盛り上がることで上方通気部と着用者の背中との相互間に隙間が生じることにより、上方通気部を介して吸気される空気量を増大させることができる。このため、着用者の胴部全体を一層冷却することができ、着用者の快適性を一層向上させることが可能になる。
【００１６】
請求項４に記載の衣服によれば、着用者の腹と前身頃における着用者の腹に対応する部分との相互間に形成される隙間の変動量であって、着用者が所定動作を行うことに伴う隙間の変動量を増加させることにより、側方通気部の通気を促進させるための通気促進手段を、前身頃に形成したので、衣服のフィット性を維持しながら、側方通気部による通気を促進させることができる。例えば、着用者が後述する前屈み状態になった場合には、通気促進部が垂れ下がることで側方通気部と着用者の腹との相互間に隙間が生じやすくなることにより、側方通気部を介して吸気される空気量を増大させることができる。その後、着用者が前屈み状態以外の姿勢状態となった場合には、上記隙間がなくなることにより、上記吸気された空気を衣服の外部に押し出す（排気する）ことができる。これらのことから、いわゆるポンピング効果を得ることができ、着用者の胴部全体を一層冷却することができて、着用者の快適性を一層向上させることが可能になる。
【００１７】
請求項５に記載の衣服によれば、隙間の変動量を調節するための調節手段を備えたので、着用者の状態に応じて通気量を調節することができ、例えば、室温が比較的高い場合には隙間の変動量を大きくすることで着用者の冷却効果を大きくし、室温が比較的低い場合には隙間の変動量を小さくすることで着用者の冷却効果を小さくすることで、着用者の冷却効果を調節でき、着用者の快適性を一層向上させることが可能になる。
【００１８】
請求項６に記載の衣服によれば、側方通気部の一部のみが衣服の外側から覆われる位置に、第１ポケット部を設けたので、第１ポケット部によって側方通気部が覆われていない場合と比べて、略同様の通気機能を有しながら、側方通気部を目立ちにくくすることができる。このため、衣服の通気性を維持しながら、衣服の意匠性を維持することが可能になる。また、第１ポケット部に収容物が収容されていない場合において、着用者が前屈み状態になった場合に、第１ポケット部の重みによって、第１ポケット部の周辺部分が垂れ下がることで、側方通気部と着用者の腹との相互間に隙間が生じやすくなる。あるいは、第１ポケット部に収容物が収容されている場合において、着用者が前屈み状態になった場合には、第１ポケット部及び収容物の重みによって、第１ポケット部の周辺部分が垂れ下がることで、側方通気部と着用者の腹との相互間に隙間が生じやすくなる。これらのことから、着用者が前屈み状態になった場合において側方通気部を介して吸気される空気量を増大させることができ、着用者の胴部全体を一層冷却することができて、着用者の快適性を一層向上させることが可能になる。
【００１９】
請求項７に記載の衣服によれば、側方通気部及び第１ポケット部の各々の一部のみが外側から覆われる位置に、第２ポケット部を設けたので、第２ポケット部に収容物が収容されていない場合において、着用者が前屈み状態になった場合に、第１ポケット部及び第２ポケット部の重みによって第２ポケット部の周辺部分が垂れ下がることで側方通気部と着用者の腹との相互間に隙間が生じやすくなる。あるいは、第２ポケット部に収容物が収容されている場合において、着用者が前屈み状態になった場合に、第１ポケット部と第２ポケット部及び収容物の重みによって第２ポケット部の周辺部分が垂れ下がることで側方通気部と着用者の腹との相互間に隙間が生じやすくなる。これらのことから、着用者が前屈み状態になった場合において側方通気部を介して吸気される空気量を増大させることができ、着用者の胴部全体を一層冷却することができて、着用者の快適性を一層向上させることが可能になる。
【図面の簡単な説明】
【００２０】
【図１】本発明の実施の形態１に係る衣服の構成を示す正面図である。
【図２】図１の衣服の背面図である。
【図３】図１の衣服の右側面図である。
【図４】腕下げ起立状態の着用者の右側面図である。
【図５】腕真上上げ起立状態の着用者の右側面図である。
【図６】前屈み状態の着用者の右側面図である。
【図７】マネキンが前屈み状態である場合の通気試験の試験結果を示す図であり、（ａ）はマネキンの腹側部位に関する図、（ｂ）はマネキンの背側部位に関する図である。
【図８】マネキンが腕水平上げ起立状態である場合の通気試験の試験結果を示す図であり、（ａ）はマネキンの腹側部位に関する図、（ｂ）はマネキンの背側部位に関する図である。
【図９】マネキンが腕真上上げ起立状態である場合の通気試験の試験結果を示す図であり、（ａ）はマネキンの腹側部位に関する図、（ｂ）はマネキンの背側部位に関する図である。
【図１０】本発明の衣服の変形例を示す正面図である。
【図１１】図１０の衣服の背面図である。
【図１２】本発明の衣服の他の変形例を示す背面図である。
【発明を実施するための形態】
【００２１】
以下に添付図面を参照して、この発明に係る衣服の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２２】
〔Ｉ〕実施の形態の基本的概念
最初に、本実施の形態の基本的概念について説明する。本実施の形態は、概略的に、着用者が医療業務、看護業務、又は介護業務に従事する際に着用する衣服に関するものである。
【００２３】
ここで、「着用者」とは、医療業務、看護業務、又は介護業務に従事する従業者を意味し、例えば、作業療法士、理学療法士、看護師、医師、介護福祉士、ホームヘルパ等を含む概念である。また、「医療業務」とは、医療に関する業務を意味し、例えば、診療業務等を含む概念である。また、「看護業務」とは、看護に関する業務を意味し、例えば、日常生活援助業務（一例として、移動介助や搬送介助等）、リハビリテーション業務等を含む概念である。また、「介護業務」とは、介護に関する業務を意味し、例えば、リハビリテーション業務、身体介護業務（一例として、入浴や着替えの介助等）等を含む概念である。また、「衣服」とは、着用者が着用する衣類であり、例えば、上衣やワンピース等を含む概念である。
【００２４】
また、着用者が医療業務、看護業務、又は介護業務の従事中に行う動作については任意であるが、例えば、最も高頻度な動作であると考えられる「移乗動作」、「立ち座り動作」、及び「腕上げ下げ動作」を含む概念である。このうち、「移乗動作」とは、患者又は要介護者（以下、「患者等」と称する）が座っている椅子等から別の椅子等に乗り移ることを援助するための動作を意味する。具体的には、まず椅子やベッド等（以下、「椅子等」と称する）に座っている患者等を着用者が中腰で前方に屈んだ状態（以下、「前屈み状態」と称する）で腕を伸ばして掴み、次に着用者が自己の体を若干起こした状態で患者等を持ち上げ、そして着用者が患者等を別の椅子等まで移動させた後、下方に屈むことにより患者等を別の椅子等に下ろす、といった一連の動作が該当する。また、「立ち座り動作」とは、患者等がその場で立ち座りすることを援助するための動作を意味する。具体的には、まず椅子等に座っている患者等を着用者が前屈み状態で腕を伸ばして掴み、次に着用者が患者等を持ち上げながら立ち上がることにより患者等を立ち上がらせ、そして着用者が下方に屈むことにより患者等を椅子等に下ろす、といった一連の動作が該当する。また、「腕上げ下げ動作」とは、患者等が腕を上げ下げすることを援助するための動作を意味する。具体的には、腕を下げて起立している患者等の腕を着用者が掴みながら真上に持ち上げることで、着用者が腕を真上に上げて起立している状態（以下、「腕真上上げ起立状態」と称する）になった後、当該持ち上げた腕を掴みながら下ろすことで、着用者が腕を下げて起立している状態（以下、「腕下げ起立状態」と称する）になる、といった一連の動作が該当する。以下、本実施の形態では、衣服を、理学療法士である着用者が介護業務（具体的には、リハビリテーション業務）に従事する際に着用する上衣に適用した場合について説明する。
【００２５】
〔ＩＩ〕実施の形態の具体的内容
次に、本実施の形態の具体的内容について説明する。
【００２６】
（構成）
最初に、本実施の形態に係る衣服の構成について説明する。図１は、本実施の形態１に係る衣服の構成を示す正面図である。図２は、図１の衣服の背面図である。図３は、図１の衣服の右側面図である。以下の説明では、図１のＸ方向を左右方向（着用者から見た方向を基準とするものとし、−Ｘ方向を右方向、＋Ｘ方向を左方向）、図３のＹ方向を前後方向（＋Ｙ方向を前方向、−Ｙ方向を後方向）、図１のＺ方向を上下方向（＋Ｚ方向を上方向、−Ｚ方向を下方向）と称する。図１から図３に示すように、衣服１は、衣服本体１０、第１右側ポケット部２１、第１左側ポケット部２２、第２右側ポケット部２３、第２左側ポケット部２４、第３ポケット部２５、第４ポケット部２６、及び襟口部調節部３０を備えている。
【００２７】
（構成−衣服本体）
衣服本体１０は、衣服１の基本構造体であり、図１から図３に示すように、着用者の上半身を覆うことが可能な略中空状体にて形成されている。以下では、説明の都合上、衣服本体１０を５つの領域に区分して説明する。すなわち、この衣服本体１０は、着用者の腹を覆う前身頃１１と、着用者の背中を覆う後身頃１２と、着用者の右上腕を覆う右袖部１３と、着用者の左上腕を覆う左袖部１４と、襟口部１６から立ち上げられた襟部１５とに区分する。また、前身頃１１及び後身頃１２の各々の下端部を裾口部１７と称し、右袖部１３及び左袖部１４の各々の先端部を袖口部１８と称する。また、衣服本体１０の側面のうち、着用者の肌面に対向する側の側面を衣服内側面と称し、着用者の肌面に対向する側とは反対側の側面を衣服外側面と称する。このように構成された衣服本体１０の材質（具体的には、衣服本体１０における後述する各種の非通気部及び通気部以外の部分の材質）は任意であるが、例えば、着用者が動きやすい材質で形成されることが望ましく、一例として、軽量且つ伸縮性を有する公知の織物素材や、表地をポリエステル材とし、裏地を綿材（又はキュプラ材）とした公知の多層ニット素材、又はこれらを組み合わせたもの等にて形成されている。
【００２８】
（構成−第１右側ポケット部、第１左側ポケット部）
第１右側ポケット部２１及び第１左側ポケット部２２は、収容物を収容するための第１ポケット部である。ここで、「収容物」とは、第１右側ポケット部２１又は第１左側ポケット部２２（あるいは、第２右側ポケット部２３、第２左側ポケット部２４、第３ポケット部２５、第４ポケット部２６）に収容されるものであり、例えば、医療用ＰＨＳ、携帯電話、介護器具、文具等を含む概念である。図１に示すように、第１右側ポケット部２１は、前身頃１１の衣服外側面のうち着用者における胴部の右側方と対応する部分に設けられており、第１左側ポケット部２２は、前身頃１１の衣服外側面のうち着用者における胴部の左側方と対応する部分に設けられている。これら第１右側ポケット部２１及び第１左側ポケット部２２は、例えば、衣服本体１０と略同一の材質である公知の織物素材を前身頃１１に対して縫着等にて固定することで、全体として略袋状体に形成されている（第２右側ポケット部２３、第２左側ポケット部２４、第４ポケット部２６も同様とする）。
【００２９】
（構成−第２右側ポケット部、第２左側ポケット部）
第２右側ポケット部２３及び第２左側ポケット部２４は、収容物を収容するための第２ポケット部である。このうち、第２右側ポケット部２３は、図１に示すように、第１右側ポケット部２１の衣服外側面の一部（図１では、第１右側ポケット部２１の下方部分）を覆うように設けられており、第２左側ポケット部２４は、第１左側ポケット部２２の衣服外側面の一部（図１では、第１左側ポケット部２２の下方部分）を覆うように設けられている。
【００３０】
（構成−第３ポケット部）
第３ポケット部２５は、収容物を収容するためのものである。この第３ポケット部２５は、図２に示すように、後身頃１２の衣服外側面のうち第２右側ポケット部２３に対応する部分に設けられている。この第３ポケット部２５は、例えば、衣服本体１０と略同一の材質である公知の織物素材を後身頃１２に対して縫着等にて固定することで、全体として略袋状体に形成されている。
【００３１】
（構成−第４ポケット部）
第４ポケット部２６は、収容物を収容するためのものである。この第４ポケット部２６は、図１に示すように、前身頃１１の衣服外側面のうち着用者の左胸側に対応する部分に設けられている。
【００３２】
（構成−襟口部調節部）
襟口部調節部３０は、着用者の衣服１の着脱を容易にするために、襟口部１６の大きさを調節するための襟口部調節手段である。この襟口部調節部３０は、例えば、公知の調節部材（一例として、線ファスナー等）を用いて構成されており、襟部１５の近傍において襟部１５から前身頃１１に至るように設けられている。
【００３３】
（構成−衣服本体の構成の詳細）
次に、衣服本体１０の構成の詳細について説明する。この衣服本体１０には、図１から図３に示すように、第１非通気部４１、第２非通気部４２、第１側方通気部５１、第２側方通気部５２、第１上方通気部６１、第２上方通気部６２、第３上方通気部６３、第１通気促進部７１、第２通気促進部７２、及び第３通気促進部７３が形成されている。
【００３４】
（構成−衣服本体の構成の詳細−第１非通気部、第２非通気部）
第１非通気部４１及び第２非通気部４２は、所定の基準値未満の通気性を有する部分である。ここで、「通気性」とは、空気やその他の気体等を通す性質を意味する。この通気性の程度を示す指標である「通気量（単位時間当たりに通過する空気等の量）」は、本実施の形態では、「ＪＩＳ  Ｌ  １０９６  Ａ法  通気性試験」に規定されている試験方法を用いて測定された通気量（単位＝ｃｍ３/ｃｍ２・ｓｅｃ）であるものとする。また、「所定の基準値」とは、着用者をクーリング（冷却）するために最低限必要な通気量を意味し、一例として、所定の基準値＝１００ｃｍ３/ｃｍ２・ｓｅｃであるものとする。
【００３５】
図１に示すように、第１非通気部４１は、前身頃１１における右側の側方部（以下、「右側方部」と称する）のうち、着用者の右側の脇部（以下、「右脇部」と称する）よりも下方側の部分に対応する部分に設けられており、第２非通気部４２は、前身頃１１における左側の側方部（以下、「左側方部」と称する）のうち、着用者の左側の脇部（以下、「左脇部」と称する）よりも下方側の部分に対応する部分に設けられている。ここで、「側方部」とは、前身頃１１（又は後身頃１２）の部分のうち、前後方向及び上下方向に略沿った部分を意味し、本実施の形態では、平面状の部分や曲面状の部分を含む概念である。また、「脇部」とは、着用者の脇及びその近傍部分を含む部位を意味する。
【００３６】
これら第１非通気部４１及び第２非通気部４２の材質については、本実施の形態では、所定の基準値未満の通気性を有する質で形成されており、例えば、所定の基準値未満の通気性を有する上記公知の織物素材や上記公知の多層ニット素材にて形成されている。
【００３７】
また、これら第１非通気部４１及び第２非通気部４２の形成方法については任意であるが、例えば、第１非通気部４１及び第２非通気部４２の製造性を高めるために、前身頃１１（又は後身頃１２）における各種の通気部以外の部分（具体的には、衣服本体１０）と一体に形成してもよい。あるいは、前身頃１１（又は後身頃１２）における各種の通気部以外の部分とは別体に形成されて、前身頃１１（又は後身頃１２）に縫着等にて固定してもよい。
【００３８】
（構成−衣服本体の構成の詳細−第１側方通気部、第２側方通気部）
第１側方通気部５１及び第２側方通気部５２は、所定の基準値以上の通気性を有する部分である。図１に示すように、この第１側方通気部５１は、前身頃１１における右側方部のうち第１非通気部４１よりも下方側の部分に設けられており、具体的には、上記右側方部のうち、着用者の肋骨及び腰骨を含む範囲と対応する部分（一例として、上記右側方部のうち、第１非通気部４１の下端部から裾口部１７近傍に至る部分）に設けられている。また、第２側方通気部５２は、前身頃１１における左側方部のうち第２非通気部４２よりも下方側の部分に設けられており、具体的には、上記左側方部のうち、着用者の肋骨及び腰骨を含む範囲と対応する部分（一例として、上記左側方部のうち、第２非通気部４２の下端部から裾口部１７近傍に至る部分）に設けられている。
【００３９】
これら第１側方通気部５１及び第２側方通気部５２の材質については任意であるが、本実施の形態では、通気性及び耐久性に優れた材質が望ましく、例えば、通気性が比較的高く、且つ工業洗濯に耐えうる公知のメッシュ素材（一例として、通気量が１５０〜１７０ｃｍ３/ｃｍ２・ｓｅｃ以上であるトリコットメッシュ等）にて形成されている（第１上方通気部６１、第２上方通気部６２、及び第３上方通気部６３の材質についても同様とする）。
【００４０】
また、これら第１側方通気部５１及び第２側方通気部５２の形成方法については任意であるが、例えば、織物素材にて形成された衣服本体１０のうち第１側方通気部５１及び第２側方通気部５２の設置部分を切り欠いた後、公知のメッシュ素材を当該切り欠いた第１側方通気部５１及び第２側方通気部５２の設置部分に縫着等により固定することで形成してもよい（第１上方通気部６１、第２上方通気部６２、及び第３上方通気部６３の形成方法についても同様とする）。
【００４１】
このような構成により、第１側方通気部５１又は第２側方通気部５２のみを介して衣服１の内部と外部の相互間で換気を行ったり、第１側方通気部５１又は第２側方通気部５２を介して吸気した空気を衣服１の襟口部１６や袖口部１８から排気して換気を行ったりすることができる（後述する煙突効果を利用した通気）。このため、従来のような着用者の首回りのみの冷却とは異なり、着用者の胴部全体を冷却することができ、着用者の快適性を向上させることが可能になる。ここで、「煙突効果」とは、煙突状の物体の中に外気より高温の空気がある場合、高温の空気が低温の空気に比べて密度が低いために浮力を持ち、煙突状の物体の下方側の開口から外部の冷たい空気を引き入れながら、高温の空気が煙突状の物体の内部を上昇する現象をいう。すなわち、本実施の形態においては、中空体である衣服１の内部に着用者によって暖められた高温の空気がある場合に、この高温の空気に浮力が生じ、着用者の胴体と裾口部１７の隙間から外部の空気を衣服１の内部に引き入れながら、高温の空気が衣服１の内部を上昇する効果（現象）を意味する。
【００４２】
（構成−衣服本体の構成の詳細−第１上方通気部、第２上方通気部、第３上方通気部）
第１上方通気部６１、第２上方通気部６２、及び第３上方通気部６３は、所定の基準値以上の通気性を有する部分であって、第１側方通気部５１又は第２側方通気部５２から衣服１の内部に吸気された空気を衣服１の外部に排気するための部分である。第１上方通気部６１は、前身頃１１、後身頃１２、及び右袖部１３の各々のうち第１非通気部４１よりも上方側の部分に設けられており、具体的には、第１非通気部４１の上端部から、右袖部１３と前身頃１１及び後身頃１２との境界部を通って、右袖部１３側の袖口部１８に至る範囲に、一体的に設けられている。また、第２上方通気部６２は、前身頃１１、後身頃１２、及び左袖部１４の各々のうち第２非通気部４２よりも上方側の部分に設けられており、具体的には、第２非通気部４２の上端部から、左袖部１４と前身頃１１及び後身頃１２との境界部を通って、左袖部１４側の袖口部１８に至る部分に至る範囲に、一体的に設けられている。また、第３上方通気部６３は、後身頃１２における第１非通気部４１及び第２非通気部４２よりも上方側の部分に設けられており、具体的には、後身頃１２における着用者の一対の肩甲骨の間に対応する範囲に設けられている。
【００４３】
このように第１上方通気部６１、第２上方通気部６２、又は第３上方通気部６３を形成したので、第１側方通気部５１又は第２側方通気部５２を介して吸気した空気を第１上方通気部６１、第２上方通気部６２、又は第３上方通気部６３を介して排気して換気することができる（煙突効果を利用した通気）。このため、着用者の胴部全体を一層冷却することができ、着用者の快適性を一層向上させることが可能になる。また、第１側方通気部５１と第１上方通気部６１との相互間に第１非通気部４１を配置したり、第２側方通気部５２と第２上方通気部６２との相互間に第２非通気部４２を配置したりすることで、第１側方通気部５１と第１上方通気部６１とを単に相互に連接させたり、第２側方通気部５２と第２上方通気部６２とを単に相互に連接させたりする場合に比べて、着用者の下着又は肌が透ける範囲を狭くすることができる。このため、着用者の下着又は肌が外部に露出することを抑制することができ、着用者の利便性を向上させることが可能になる。
【００４４】
また、後身頃１２における着用者の一対の肩甲骨の間と対応する部分に、第３上方通気部６３を形成したので、特に着用者が腕真上上げ起立状態になった場合に、着用者の一対の肩甲骨が盛り上がることで上方通気部６３と着用者の背中との相互間に隙間が生じることにより、上方通気部６３を介して吸気される空気量を増大させることができる。このため、着用者の胴部全体を一層冷却することができ、着用者の快適性を一層向上させることが可能になる。
【００４５】
（構成−衣服本体の構成の詳細−第１通気促進部）
第１通気促進部７１は、着用者の腹と前身頃１１における着用者の腹に対応する部分との相互間に形成される隙間の変動量であって、着用者が所定動作を行うことに伴う隙間の変動量を増加させることにより、第１側方通気部５１及び第２側方通気部５２の通気を促進させるための通気促進手段である。図１に示すように、第１通気促進部７１は、前身頃１１における腹に対応する部分（具体的には、前身頃１１のうち、着用者の腹の上端に対応する部分から裾口部１７に至る部分）に設けられており、当該部分の幅（左右方向の長さ）のうち、着用者の腹の幅（左右方向の長さ）に対する余裕部分として形成されている。この場合において、前身頃１１の幅（左右方向の長さ）の設定の詳細については、具体的には、前身頃１１における第１通気促進部７１を含む部分の幅が、衣服１のサイズに関わらず、前身頃１１における着用者の胸に対応する部分の幅に対して、１．０５倍から１．１５倍程度の長さになるように設定している。ただし、これに限られず、例えば、前身頃１１の幅は、衣服１の形状や種類等に応じて異なり得ることから、実験結果等に基づいて設定してもよい。
【００４６】
図４は、腕下げ起立状態の着用者の右側面図、図５は、腕真上上げ起立状態の着用者の右側面図、図６は、前屈み状態の着用者の右側面図である。例えば、移乗動作や立ち座り動作において、着用者が図６に示す前屈み状態になった場合には、第１通気促進部７１が垂れ下がることで第１側方通気部５１及び第２側方通気部５２と着用者の腹との相互間に隙間が生じやすくなることにより、第１側方通気部５１及び第２側方通気部５２を介して吸気される空気量を増大させることができる。その後、着用者が前屈み状態以外の姿勢状態となった場合には、上記隙間がなくなることにより、上記吸気された空気を衣服の外部に押し出す（排気する）ことができる。これらのことから、いわゆるポンピング効果を得ることができ、着用者の胴部全体を一層冷却することができて、着用者の快適性を一層向上させることが可能になる。
【００４７】
（構成−衣服本体の構成の詳細−第２通気促進部、第３通気促進部）
第２通気促進部７２は、着用者の右脇部と第１上方通気部６１における着用者の右脇部に対応する部分との相互間に形成される隙間の変動量であって、着用者が所定動作を行うことに伴う隙間の変動量を増加させることにより、第１上方通気部６１の通気を促進させるための通気促進手段である。第３通気促進部７３は、着用者の左脇部と第２上方通気部６２における着用者の左脇部に対応する部分との相互間に形成される隙間の変動量であって、着用者が所定動作を行うことに伴う隙間の変動量を増加させることにより、第２上方通気部６２の通気を促進させるための通気促進手段である。図１、図２に示すように、この第２通気促進部７２は、第１上方通気部６１における着用者の右脇部に対応する部分に設けられており、当該部分の幅（左右方向の長さ）のうち、着用者の右脇部の幅（左右方向の長さ）に対する余裕部分として形成されている。また、この第３通気促進部７３は、第２上方通気部６２における着用者の左脇部に対応する部分に設けられており、当該部分の幅（左右方向の長さ）のうち、着用者の左脇部の幅（左右方向の長さ）に対する余裕部分として形成されている。この場合において、第１上方通気部６１における第２通気促進部７２を含む部分の幅（左右方向の長さ）や第２上方通気部６２における第３通気促進部７３を含む部分の幅（左右方向の長さ）の設定の詳細については、具体的には、衣服１のサイズ、形状、又は種類等に応じて異なり得ることから、実験結果等に基づいて設定している。
【００４８】
このような構成により、第１側方通気部５１又は第２側方通気部５２から吸気された空気が第１上方通気部６１及び第２上方通気部６２を介して排気されるように通気することを促進させることできる。例えば、腕上げ下げ動作において、着用者が図５に示す腕真上上げ起立状態となった場合には、第２通気促進部７２及び第３通気促進部７３が引き延ばされることにより、第１上方通気部６１と着用者の右脇部との相互間及び第２上方通気部６２と着用者の左脇部との相互間に隙間が生じやすくなることにより、第１上方通気部６１及び第２上方通気部６２を介して吸気される空気量を増大させることができる。その後、着用者が腕真上上げ起立状態以外の姿勢状態（例えば、図４に示す腕下げ起立状態）となった場合には、上記隙間がなくなることにより、上記吸気された空気を衣服１の外部に押し出す（排気する）ことができる。これらのことから、いわゆるポンピング効果を得ることができ、着用者の胴部全体を一層冷却することができて、着用者の快適性を一層向上させることが可能になる。
【００４９】
（構成−第１右側ポケット部及び第１左側ポケット部の構成の詳細）
次に、図１を参照しつつ、第１右側ポケット部２１及び第１左側ポケット部２２の構成の詳細について説明する。本実施の形態においては、第１右側ポケット部２１を、この第１右側ポケット部２１によって第１側方通気部５１の一部のみが衣服１の外側から覆われる位置（一例として、第１非通気部４１の下端部から裾口部１７近傍に至る第１側方通気部５１のうち、図１においてメッシュ状に描画した部分以外が覆われる位置）に配置している。また、第１左側ポケット部２２を、この第１左側ポケット部２２によって第２側方通気部５２の一部のみが衣服１の外側から覆われる位置（一例として、第２非通気部４２の下端部から裾口部１７近傍に至る第２側方通気部５２のうち、図１においてメッシュ状に描画した部分以外が覆われる位置）に配置している。なお、「衣服１の外側」とは、衣服１よりも前方に位置にいる仮想の観察者が、衣服１の外部から衣服１を見た時の視線方向を意味する。
【００５０】
このような構成により、第１右側ポケット部２１又は第１左側ポケット部２２によって第１側方通気部５１又は第２側方通気部５２が覆われない場合に比べて、略同様の通気機能を有しながら、第１側方通気部５１又は第２側方通気部５２を目立ちにくくすることができる。このため、衣服の通気性を維持しながら、衣服の意匠性を維持することが可能になる。また、第１右側ポケット部２１又は第１左側ポケット部２２に収容物が収容されていない場合において、着用者が前屈み状態になった場合に、第１右側ポケット部２１又は第１左側ポケット部２２の重みによって、第１右側ポケット部２１又は第１左側ポケット部２２の周辺部分が垂れ下がることで、第１側方通気部５１又は第２側方通気部５２と着用者の腹との相互間に隙間が生じやすくなる。あるいは、第１右側ポケット部２１又は第１左側ポケット部２２に収容物が収容されている場合において、着用者が前屈み状態になった場合には、第１右側ポケット部２１又は第１左側ポケット部２２及び収容物の重みによって、第１右側ポケット部２１又は第１左側ポケット部２２の周辺部分が垂れ下がることで、第１側方通気部５１又は第２側方通気部５２と着用者の腹との相互間に隙間が生じやすくなる。これらのことから、着用者が前屈み状態になった場合において第１側方通気部５１又は第２側方通気部５２を介して吸気される空気量を増大させることができ、着用者の胴部全体を一層冷却することができて、着用者の快適性を一層向上させることが可能になる。
【００５１】
（構成−第２右側ポケット部及び第２左側ポケット部の構成の詳細）
次に、図１を参照しつつ、第２右側ポケット部２３及び第２左側ポケット部２４の構成の詳細について説明する。本実施の形態においては、第２右側ポケット部２３を、この第２右側ポケット部２３によって第１側方通気部５１及び第１右側ポケット部２１の各々の一部のみが外側から覆われる位置（一例として、第１非通気部４１の下端部から裾口部１７近傍に至る第１側方通気部５１のうち、図１においてメッシュ状に描画した部分以外が覆われる位置であって、同じく第１非通気部４１の下端部から裾口部１７近傍に至る第１右側ポケット部２１のうち、下側約半分が覆われる位置）に配置している。また、第２左側ポケット部２４を、この第２左側ポケット部２４によって第２側方通気部５２及び第１左側ポケット部２２の各々の一部のみが外側から覆われる位置（一例として、第２非通気部４２の下端部から裾口部１７近傍に至る第２側方通気部５２のうち、図１においてメッシュ状に描画した部分以外が覆われる位置であって、同じく第２非通気部４２の下端部から裾口部１７近傍に至る第１左側ポケット部２２のうち、下側約半分が覆われる位置）に配置している。
【００５２】
このような構成により、第２右側ポケット部２３及び第２左側ポケット部２４に収容物が収容されていない場合において、着用者が前屈み状態になった場合に、第１右側ポケット部２１又は第１左側ポケット部２２の重みと、第２右側ポケット部２３及び第２左側ポケット部２４の重みによって、第２右側ポケット部２３及び第２左側ポケット部２４の周辺部分が垂れ下がることで、第１側方通気部５１又は第２側方通気部５２と着用者の腹との相互間に隙間が生じやすくなる。あるいは、第２右側ポケット部２３及び第２左側ポケット部２４に収容物が収容されている場合において、着用者が前屈み状態になった場合に、第１右側ポケット部２１又は第１左側ポケット部２２の重みと、第２右側ポケット部２３及び第２左側ポケット部２４の重み、及び収容物の重みによって、第２右側ポケット部２３及び第２左側ポケット部２４の周辺部分が垂れ下がることで、第１側方通気部５１又は第２側方通気部５２と着用者の腹との相互間に隙間が生じやすくなる。これらのことから、着用者が前屈み状態になった場合において第１側方通気部５１又は第２側方通気部５２を介して吸気される空気量を増大させることができ、着用者の胴部全体を一層冷却することができて、着用者の快適性を一層向上させることが可能になる。
【００５３】
（衣服の作用）
続いて、このように構成された衣服１の作用を、着用者に主要な動作毎に説明する。この衣服１の作用は、移乗動作に関する作用、立ち座り動作に関する作用、及び腕上げ下げ動作に関する作用に大別される。
【００５４】
（衣服の作用−移乗動作に関する作用）
まず、移乗動作に関する作用について説明する。移乗動作に関する作用は、着用者が移乗動作を行うことで生じる衣服１の作用を意味する。この移乗動作に関する作用については、以下の通りとなる。すなわち、図６に示すように、着用者が椅子等に座っている要介護者を前屈み状態で腕を伸ばして掴む動作を行うと、第１通気促進部７１が垂れ下がることで第１側方通気部５１及び第２側方通気部５２の各々と着用者の腹との相互間に隙間が生じることにより、上記掴む動作を行う前に比べて、第１側方通気部５１及び第２側方通気部５２を介して吸気される空気量を増大させることができる。次に、着用者が自己の体を若干起こした状態で要介護者を持ち上げる動作を行うと、上記掴む動作で生じた隙間がなくなることで、第１側方通気部５１、第２側方通気部５２、第１上方通気部６１、第２上方通気部６２、第３上方通気部６３、又は裾口部１７を介して吸気された空気が衣服１の外部に押し出される。これにより、上記押し出された空気を襟口部１６、第１上方通気部６１、第２上方通気部６２、第３上方通気部６３、第１側方通気部５１、又は第２側方通気部５２を介して排気することができる。そして、着用者が要介護者を別の椅子等まで移動させた後、下方に屈むことにより要介護者を別の椅子等に下ろす動作を行うと、上記掴む動作と略同様に、第１側方通気部５１及び第２側方通気部５２の各々と着用者の腹との相互間に隙間が生じるので、上記持ち上げる動作を行った後に比べて、第１側方通気部５１及び第２側方通気部５２を介して吸気される空気量を増大させることができる。このような一連の動作により、着用者の胴部や腕部を冷却することができて、着用者の快適性を向上させることが可能になる。
【００５５】
（衣服の作用−立ち座り動作に関する作用）
次に、立ち座り動作に関する作用について説明する。立ち座り動作に関する作用は、着用者が立ち座り動作を行うことで生じる衣服１の作用を意味する。この立ち座り動作に関する作用については、以下の通りとなる。すなわち、まず、椅子等に座っている要介護者を着用者が図６に示す前屈み状態で腕を伸ばして掴む動作を行うと、第１通気促進部７１が垂れ下がることで第１側方通気部５１及び第２側方通気部５２の各々と着用者の腹との相互間に隙間が生じるので、上記掴む動作を行う前に比べて、第１側方通気部５１及び第２側方通気部５２を介して吸気される空気量を増大させることができる。次に、着用者が要介護者を持ち上げながら立ち上がることにより要介護者を立ち上がらせる動作を行うと、上記掴む動作で生じた隙間がなくなることで、第１側方通気部５１、第２側方通気部５２、第１上方通気部６１、第２上方通気部６２、第３上方通気部６３、又は裾口部１７を介して吸気された空気が衣服１の外部に押し出される。これにより、上記押し出された空気を襟口部１６、第１上方通気部６１、第２上方通気部６２、第３上方通気部６３、第１側方通気部５１、又は第２側方通気部５２を介して排気することができる。続いて、着用者が下方に屈むことにより患者等を椅子等に下ろす動作を行うと、上記掴む動作と略同様に、第１側方通気部５１及び第２側方通気部５２の各々と着用者の腹との相互間に隙間が生じるので、上記立ち上がらせる動作を行った後に比べて、第１側方通気部５１及び第２側方通気部５２を介して吸気される空気量を増大させることができる。このような一連の動作により、着用者の胴部や腕部を冷却することができて、着用者の快適性を向上させることが可能になる。
【００５６】
（衣服の作用−腕上げ下げ動作に関する作用）
続いて、腕上げ下げ動作に関する作用について説明する。腕上げ下げ動作に関する作用は、着用者が腕上げ下げ動作を行うことで生じる衣服１の作用を意味する。この腕上げ下げ動作に関する作用については、以下の通りとなる。すなわち、まず、腕を下げた状態で起立している要介護者の腕を着用者が掴みながら真上に持ち上げる動作を行うと、着用者が図５に示す腕真上上げ起立状態になることにより、第２通気促進部７２及び第３通気促進部７３が引き延ばされることで第１上方通気部６１及び第２上方通気部６２の各々と着用者の脇部との相互間に隙間が生じやすくなると共に、着用者の一対の肩甲骨が盛り上がることにより、第３上方通気部６３と着用者の背中との相互間に隙間が生じやすくなる。これにより、上記持ち上げる動作を行う前に比べて、第１上方通気部６１、第２上方通気部６２、及び第３上方通気部６３を介して吸気される空気量を増大させることができることできる。また、第１側方通気部５１、第２側方通気部５２、又は裾口部１７を介して吸気された空気が上記隙間及び第３上方通気部６３を介して排気されるように通気（煙突効果を利用した通気）しやすくなる。次いで、着用者が持ち上げた要介護者の腕を掴みながら下ろす動作を行うと、着用者が図４に示す腕下げ起立状態になることにより、上記持ち上げる動作で生じた隙間がなくなることで第１側方通気部５１、第２側方通気部５２、第１上方通気部６１、第２上方通気部６２、第３上方通気部６３、又は裾口部１７を介して吸気された空気が衣服１の外部に押し出される。これにより、上記押し出された空気を襟口部１６、第１上方通気部６１、第２上方通気部６２、第３上方通気部６３、第１側方通気部５１、又は第２側方通気部５２を介して排気することができる。このような一連の動作により、着用者の胴部や腕部を冷却することができて、着用者の快適性を向上させることが可能になる。
【００５７】
（試験結果）
次に、衣服に関する通気性試験の試験結果について説明する。ここで、「通気性試験」とは、着用対象に取り付けられた衣服に対して風を当てることにより、衣服の通気性を検証する試験である。
【００５８】
まず、この通気性試験に用いられる試験設備（図示省略）の概要について説明する。この試験設備は、送風装置、マネキン、及び温度検出部を備えている（いずれも図示省略）。送風装置は、衣服に対して風を送るための送風手段であり、例えばファン等の公知の送風装置を用いて構成されている。マネキンは、衣服を着用するための着用対象であり、例えば、関節部が可動可能な試験用のマネキン（繊維製品の温熱・水分に関する機能性能を評価するための試験（例えば、衣服の保温性能を評価するための試験等）に用いられるサーマルマネキン）として構成されている。温度検出部は、マネキンの温度を検出するための温度検出手段であり、公知の温度センサを用いて構成されており、マネキンの表面の複数部位に取り付けられている。
【００５９】
ここでは、これら温度センサが取り付けられた複数部位のうち、一部の部位を測定部位として選択し、この測定部位の温度センサから測定結果を取得した。この「測定部位」としては、マネキンの腹側部位のうち、第１側方通気部５１の近傍部分に対応する部位（以下、「腹側脇下」と称する）と、第１上方通気部６１の近傍部分に対応する部位（以下、「腹側脇上」と称する）と、マネキンの背側部位のうち、腹側脇下に対応する部位（以下、「背側脇下」と称する）と、腹側脇上に対応する部位（以下、「背側脇上」と称する）と、第３上方通気部６３の近傍部分に対応する部位（以下、「背側肩」と称する）を選択した。
【００６０】
次に、この通気性試験の試験対象について説明する。試験対象としては、後述する衣服Ｄと異なる形状及び大きさであって、上記各種の通気部を備えていない衣服（以下、「衣服Ａ」と称する）と、後述する衣服Ｄと同一の形状及び大きさであって、上記各種の通気部を備えていない衣服（以下、「衣服Ｂ」と称する）と、後述する衣服Ｄと同一の形状及び大きさであって、通気部として第１側方通気部５１及び第２側方通気部５２のみを備えた衣服（以下、「衣服Ｃ」と称する）と、本実施の形態に係る衣服１（以下、「衣服Ｄ」と称する）との４種類を用いた。ここで、衣服Ａの具体的な形状及び大きさは、本実施の形態に係る衣服１（上衣）の形状に類似した形状に設定すると共に、バストの幅＝１１２ｃｍ、ウエストの幅＝１０２．５ｃｍ、裾廻りの幅＝１０９ｃｍに設定した。また、衣服Ｂから衣服Ｄの具体的な形状及び大きさについては、本実施の形態に係る衣服１の形状と同一の形状に設定すると共に、バストの幅＝１１０ｃｍ、ウエストの幅＝１０７ｃｍ、裾廻りの幅＝１１５ｃｍに設定した。
【００６１】
また、通気性試験の試験方法については、以下に示す通りとした。すなわち、まず、所定の温度（例えば、２０℃等）で空調管理された試験空間内にマネキンを配置し、このマネキンに、試験対象とする衣服Ａから衣服Ｄのいずれか１つを着せた。次に、マネキンの姿勢状態を所定の状態に変化させた。この「所定の状態」は、前屈み状態と、腕真上上げ起立状態と、腕を水平に上げて起立している状態（以下、「腕水平上げ起立状態」と称する）とした。そして、マネキンに対して、一般的な屋内空調用の空調設備から出る風と同等の風量の風を所定方向（マネキンの右側方から正面を通って左側方に至る範囲のうち、特定の一方向）から所定時間（例えば、６０ｍｉｎ等）が経過するまで当てた直後に、温度検出部によって上記測定部位の温度を検出した。なお、マネキンに風が当てられている状態においては、マネキンの表面温度が３４℃となるように定温制御を行うと共に、人が室温でウォーキング程度の運動を行った時の発汗量と同程度の量の水蒸気を汗に見立ててマネキンの発汗点から放出させた。
【００６２】
次に、この通気試験の試験結果について説明する。以下では、衣服Ａから衣服Ｄを対象として、マネキンの姿勢状態を前屈み状態、腕水平上げ起立状態、又は腕真上腕上げ状態とする通気試験を行った場合の試験結果についてそれぞれ説明する。
【００６３】
（試験結果−前屈み状態の試験結果）
まず、マネキンの姿勢状態が前屈み状態である場合の通気試験の試験結果について説明する。図７は、マネキンの姿勢状態が前屈み状態である場合の通気試験の試験結果を示す図、（ａ）はマネキンの腹側部位に関する図であり、（ｂ）はマネキンの背側部位に関する図である。なお、図７に示すマネキンの測定部位の各々の試験結果は、測定開始時点の温度にそれぞればらつきを有するデータに基づいて得られた結果として説明する（後述する図８、図９の通気試験の試験結果についても同様とする）。
【００６４】
図７（ａ）に示すように、腹側脇上の試験結果については、衣服Ｂ、衣服Ｃ、及び衣服Ｄの温度は、衣服Ａの温度に比べて３℃程度以上低かった（特に、衣服Ｃ及び衣服Ｄの温度は、衣服Ａの温度に比べて６℃程度低かった）。また、腹側脇下の試験結果については、衣服Ｂ、衣服Ｃ、及び衣服Ｄの温度は、衣服Ａの温度に比べて２．５℃程度以上低かった（特に、衣服Ｃ及び衣服Ｄの温度は、衣服Ａの温度に比べて３℃程度低かった）。
【００６５】
また、図７（ｂ）に示すように、背側脇上の試験結果については、衣服Ｂ、衣服Ｃ、及び衣服Ｄの温度は、衣服Ａの温度に比べて２．５℃程度以上低かった（特に、衣服Ｃの温度は、衣服Ａの温度に比べて４．５℃程度低く、衣服Ｄの温度は、衣服Ａの温度に比べて３℃程度低かった）。また、背側脇下の試験結果については、衣服Ｂ、衣服Ｃ、及び衣服Ｄの温度は、衣服Ａの温度に比べて０．５℃程度以上低かった（特に、衣服Ｂの温度は、衣服Ａの温度に比べて１℃程度低く、衣服Ｃの温度は、衣服Ａの温度に比べて２℃程度低かった）。また、背側肩の試験結果については、衣服Ｂ及び衣服Ｃの温度は衣服Ａの温度と略同一であるものの、衣服Ｄの温度は、衣服Ａの温度に比べて２℃程度低かった。
【００６６】
これら図７（ａ）（ｂ）に示す試験結果より、マネキンの姿勢状態が前屈み状態である場合においては、衣服Ｂ、衣服Ｃ、及び衣服Ｄの通気性が衣服Ａの通気性に比べて高いことが確認された。特に、マネキンの腹側部位の試験結果については、衣服Ｃ及び衣服Ｄの通気性が衣服Ｂの通気性に比べて高いことが確認された。
【００６７】
（試験結果−腕水平上げ起立状態の試験結果）
次に、マネキンの姿勢状態が腕水平上げ起立状態である場合の通気試験の試験結果について説明する。図８は、マネキンの姿勢状態が腕水平上げ起立状態である場合の通気試験の試験結果を示す図であり、（ａ）はマネキンの腹側部位に関する図、（ｂ）はマネキンの背側部位に関する図である。
【００６８】
図８（ａ）に示すように、腹側脇上の試験結果については、衣服Ｂ、衣服Ｃ、及び衣服Ｄの温度は、衣服Ａの温度に比べて１．５℃程度以上低かった（特に、衣服Ｃ及び衣服Ｄの温度は、衣服Ａの温度に比べて４℃程度低かった）。また、腹側脇下の試験結果については、衣服Ｂ、衣服Ｃ、及び衣服Ｄの温度は、衣服Ａの温度に比べて０．５℃程度以上低かった（特に、衣服Ｂの温度は、衣服Ａの温度に比べて１℃程度低く、衣服Ｄの温度は、衣服Ａの温度に比べて３℃程度低かった）。
【００６９】
また、図８（ｂ）に示すように、背側脇上の試験結果については、衣服Ｂ、衣服Ｃ、及び衣服Ｄの温度は、衣服Ａの温度に比べて０．５℃程度以上低かった（特に、衣服Ｃの温度は、衣服Ａの温度に比べて５℃程度低く、衣服Ｄの温度は、衣服Ａの温度に比べて７℃程度低かった）。また、背側脇下の試験結果については、衣服Ｂ及び衣服Ｃの温度は衣服Ａの温度と略同一であるものの、衣服Ｄの温度は、衣服Ａの温度に比べて１℃程度低かった。また、背側肩の試験結果については、衣服Ｂ、衣服Ｃ、及び衣服Ｄの温度は、衣服Ａの温度に比べて０．５℃程度以上低かった（特に、衣服Ｄの温度は、衣服Ａの温度に比べて３℃程度低かった）。
【００７０】
これら図８（ａ）（ｂ）に示す試験結果より、マネキンの姿勢状態が腕水平上げ起立状態である場合においては、衣服Ｂ、衣服Ｃ、及び衣服Ｄの通気性が衣服Ａの通気性に比べて高いことが確認された。特に、腹側脇上の試験結果以外の試験結果については、衣服Ｄの通気性が衣服Ｃの通気性に比べて高いことが確認された。
【００７１】
（試験結果−腕真上上げ起立状態の試験結果）
続いて、マネキンの姿勢状態が腕真上上げ起立状態である場合の通気試験の試験結果について説明する。図９は、マネキンの姿勢状態が腕真上上げ起立状態である場合の通気試験の試験結果を示す図であり、（ａ）はマネキンの腹側部位に関する図、（ｂ）はマネキンの背側部位に関する図である。
【００７２】
図９（ａ）に示すように、腹側脇上の試験結果については、衣服Ｂ、衣服Ｃ、及び衣服Ｄの温度は、衣服Ａの温度に比べて１℃程度以上低かった（特に、衣服Ｄの温度は、衣服Ａの温度に比べて２℃程度低かった）。また、腹側脇下の試験結果については、衣服Ｂ、衣服Ｃ、及び衣服Ｄの温度は、衣服Ａの温度に比べて０．５℃程度以上低かった（特に、衣服Ｃの温度は、衣服Ａの温度に比べて１℃程度低く、衣服Ｄの温度は、衣服Ａの温度に比べて２．５℃程度低かった）。
【００７３】
また、図９（ｂ）に示すように、背側脇上の試験結果については、衣服Ｂ、衣服Ｃ、及び衣服Ｄの温度は、衣服Ａの温度に比べて２℃程度以上低かった（特に、衣服Ｄの温度は、衣服Ａの温度に比べて４℃程度低かった）。また、背側脇下の試験結果については、衣服Ｂ、衣服Ｃ、及び衣服Ｄの温度は、衣服Ａの温度に比べて１℃程度以上低かった（特に、衣服Ｂの温度は、衣服Ａの温度に比べて２℃程度低く、衣服Ｄの温度は、衣服Ａの温度に比べて３℃程度低かった）。また、背側肩の試験結果については、衣服Ｂ及び衣服Ｄの温度は衣服Ａの温度と略同一であるものの、衣服Ｃの温度は、衣服Ａの温度に比べて１℃程度低かった。
【００７４】
これら図９（ａ）（ｂ）に示す試験結果より、マネキンの姿勢状態が腕真上上げ起立状態である場合においては、衣服Ｂ、衣服Ｃ、及び衣服Ｄの通気性が衣服Ａの通気性に比べて高いことが確認された。特に、マネキンの腹側部位の試験結果については、衣服Ｃ及び衣服Ｄの通気性が衣服Ｂの通気性に比べて高いことが確認された。さらに、背側肩の試験結果以外の試験結果については、衣服Ｄの通気性が衣服Ｃの通気性に比べて高いことが確認された。
【００７５】
以上のように、図７から図９に示す試験結果から、衣服Ｃ及び衣服Ｄの通気性が衣服Ａや衣服Ｂの通気性より高いことが判り、衣服に、少なくとも第１側方通気部５１及び第２側方通気部５２を設けることの有効性が確認できた。さらに、衣服Ｄの通気性が衣服Ｃの通気性より高いことが判り、衣服に、第１側方通気部５１及び第２側方通気部５２に加えて、第１上方通気部６１、第２上方通気部６２、及び第３上方通気部６３を設けることの有効性が確認できた。
【００７６】
（本実施の形態の効果）
このように本実施の形態によれば、前身頃１１における左側方部又は右側方部のうち、着用者の脇部よりも下方側の部分に対応する部分に、第１非通気部４１及び第２非通気部４２を形成し、前身頃１１における左側方部又は右側方部のうち、第１非通気部４１及び第２非通気部４２よりも下方側の部分に、第１側方通気部５１及び第２側方通気部５２を形成したので、第１側方通気部５１又は第２側方通気部５２のみを介して衣服１の内部と外部の相互間で換気を行ったり、第１側方通気部５１又は第２側方通気部５２を介して吸気した空気を衣服１の襟口部１６や袖口部１８から排気して換気を行ったりすることができる（煙突効果を利用した通気）。このため、従来のような着用者の首回りのみの冷却とは異なり、着用者の胴部全体を冷却することができ、着用者の快適性を向上させることが可能になる。
【００７７】
また、第１非通気部４１及び第２非通気部４２よりも上方側の部分に、第１上方通気部６１、第２上方通気部６２、及び第３上方通気部６３を形成したので、第１側方通気部５１又は第２側方通気部５２を介して吸気した空気を第１上方通気部６１、第２上方通気部６２、又は第３上方通気部６３を介して排気して換気することができる（煙突効果を利用した通気）。このため、着用者の胴部全体を一層冷却することができ、着用者の快適性を一層向上させることが可能になる。また、第１側方通気部５１と第１上方通気部６１との相互間に第１非通気部４１を配置したり、第２側方通気部５２と第２上方通気部６２との相互間に第２非通気部４２を配置したりすることで、第１側方通気部５１と第１上方通気部６１とを単に相互に連接させたり、第２側方通気部５２と第２上方通気部６２とを単に相互に連接させたりする場合に比べて、着用者の下着又は肌が透ける範囲を狭くすることができる。このため、着用者の下着又は肌が外部に露出することを抑制することができ、着用者の利便性を向上させることが可能になる。
【００７８】
また、後身頃１２における着用者の一対の肩甲骨の間と対応する部分に、第３上方通気部６３を形成したので、特に着用者が腕真上上げ起立状態になった場合に、着用者の一対の肩甲骨が盛り上がることで上方通気部６３と着用者の背中との相互間に隙間が生じることにより、上方通気部６３を介して吸気される空気量を増大させることができる。このため、着用者の胴部全体を一層冷却することができ、着用者の快適性を一層向上させることが可能になる。
【００７９】
また、着用者の腹と前身頃１１における着用者の腹に対応する部分との相互間に形成される隙間の変動量であって、着用者が所定動作を行うことに伴う隙間の変動量を増加させることにより、第１側方通気部５１及び第２側方通気部５２の通気を促進させるための第１通気促進部７１を、前身頃１１に形成したので、着用者が前屈み状態になった場合には、第１通気促進部７１が垂れ下がることで第１側方通気部５１及び第２側方通気部５２と着用者の腹との相互間に隙間が生じやすくなることにより、第１側方通気部５１及び第２側方通気部５２を介して吸気される空気量を増大させることができる。その後、着用者が前屈み状態以外の姿勢状態となった場合には、上記隙間がなくなることにより、上記吸気された空気を衣服の外部に押し出す（排気する）ことができる。これらのことから、いわゆるポンピング効果を得ることができ、着用者の胴部全体を一層冷却することができて、着用者の快適性を一層向上させることが可能になる。
【００８０】
また、第１側方通気部５１の一部のみが衣服１の外側から覆われる位置に、第１右側ポケット部２１を設けると共に、第２側方通気部５２の一部のみが衣服１の外側から覆われる位置に、第１左側ポケット部２２を設けたので、第１右側ポケット部２１又は第１左側ポケット部２２によって第１側方通気部５１又は第２側方通気部５２が覆われない場合に比べて、略同様の通気機能を有しながら、第１側方通気部５１又は第２側方通気部５２を目立ちにくくすることができる。このため、衣服の通気性を維持しながら、衣服の意匠性を維持することが可能になる。また、第１右側ポケット部２１又は第１左側ポケット部２２に収容物が収容されていない場合において、着用者が前屈み状態になった場合に、第１右側ポケット部２１又は第１左側ポケット部２２の重みによって、第１右側ポケット部２１又は第１左側ポケット部２２の周辺部分が垂れ下がることで、第１側方通気部５１又は第２側方通気部５２と着用者の腹との相互間に隙間が生じやすくなる。あるいは、第１右側ポケット部２１又は第１左側ポケット部２２に収容物が収容されている場合において、着用者が前屈み状態になった場合には、第１右側ポケット部２１又は第１左側ポケット部２２及び収容物の重みによって、第１右側ポケット部２１又は第１左側ポケット部２２の周辺部分が垂れ下がることで、第１側方通気部５１又は第２側方通気部５２と着用者の腹との相互間に隙間が生じやすくなる。これらのことから、着用者が前屈み状態になった場合において第１側方通気部５１又は第２側方通気部５２を介して吸気される空気量を増大させることができ、着用者の胴部全体を一層冷却することができて、着用者の快適性を一層向上させることが可能になる。
【００８１】
また、第１側方通気部５１及び第１右側ポケット部２１の各々の一部のみが外側から覆われる位置に、第２右側ポケット部２３を設けると共に、第２側方通気部５２及び第１左側ポケット部２２の各々の一部のみが外側から覆われる位置に、第２左側ポケット部２４を設けたので、第２右側ポケット部２３及び第２左側ポケット部２４に収容物が収容されていない場合において、着用者が前屈み状態になった場合に、第１右側ポケット部２１又は第１左側ポケット部２２の重みと、第２右側ポケット部２３及び第２左側ポケット部２４の重みによって、第２右側ポケット部２３及び第２左側ポケット部２４の周辺部分が垂れ下がることで、第１側方通気部５１又は第２側方通気部５２と着用者の腹との相互間に隙間が生じやすくなる。あるいは、第２右側ポケット部２３及び第２左側ポケット部２４に収容物が収容されている場合において、着用者が前屈み状態になった場合に、第１右側ポケット部２１又は第１左側ポケット部２２の重みと、第２右側ポケット部２３及び第２左側ポケット部２４の重み、及び収容物の重みによって、第２右側ポケット部２３及び第２左側ポケット部２４の周辺部分が垂れ下がることで、第１側方通気部５１又は第２側方通気部５２と着用者の腹との相互間に隙間が生じやすくなる。これらのことから、着用者が前屈み状態になった場合において第１側方通気部５１又は第２側方通気部５２を介して吸気される空気量を増大させることができ、着用者の胴部全体を一層冷却することができて、着用者の快適性を一層向上させることが可能になる。
【００８２】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００８３】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００８４】
（形状、数値、構造、時系列について）
上記実施の形態や図面において例示した構成要素に関して、形状、数値、又は複数の構成要素の構造若しくは時系列の相互関係については、本発明の技術的思想の範囲内において、任意に改変及び改良することができる。例えば、衣服本体１０における各部は、特記する場合を除いて、上記説明とは異なる形状、方法、及び材質で製造することができる。
【００８５】
（衣服について）
衣服１の使用用途に応じて、右袖部１３及び左袖部１４を省略してもよい。また、例えば、衣服１の製造コストを低減する等のために、第１右側ポケット部２１、第１左側ポケット部２２、第２右側ポケット部２３、第２左側ポケット部２４、第３ポケット部２５、第４ポケット部２６、又は襟口部調節部３０の少なくともいずれか１つを省略してもよい。さらに、第１側方通気部５１、第２側方通気部５２、第１上方通気部６１、第２上方通気部６２、又は第３上方通気部６３の少なくともいずれか１つを省略してもよい。
【００８６】
また、上記実施の形態では、衣服１は、衣服本体１０、第１右側ポケット部２１、第１左側ポケット部２２、第２右側ポケット部２３、第２左側ポケット部２４、第３ポケット部２５、第４ポケット部２６、及び襟口部調節部３０を備えていると説明したが、これに限られない。図１０は、衣服１の変形例を示す正面図である。図１１は、図１０の衣服１の背面図である。図１２は、衣服１の他の変形例を示す背面図である。例えば、図１０、図１１に示すように、上述した構成要素に加えて、衣服本体１０の右側部分及び左側部分の各々（具体的には、右側上下方向中央部分及び左側上下方向中央部分）に設けられた調節部８０を備えてもよい。
【００８７】
この調節部８０は、着用者の腹と前身頃１１における着用者の腹に対応する部分との相互間に形成される隙間であって、着用者が所定動作を行うことに伴う隙間の変動量を調節するための調節手段である。図１０、図１１に示すように、この調節部８０は、ベルト部８１及び複数のボタン部８２を備える。このうち、ベルト部８１は、調節部８０の基本構造体であり、長尺状体にて形成され、当該ベルト部８１における長手方向の一方の端部が前身頃１１に対して縫着等により固定されている。また、このベルト部８１における長手方向の他方の端部の近傍部分には、ベルト部８１をボタン部８２に係合するための切欠部８１ａが形成されている。また、複数のボタン部８２は、ベルト部８１を係合させる係合手段であり、図１１に示すように、後身頃１２において相互に間隔を隔てて左右方向に沿って並設され、後身頃１２に対して縫着等により固定されている。このような調節部８０により、着用者の状態に応じて通気量を調節することができ、着用者の快適性をさらに向上させることができる。
【００８８】
上記変形例では、調節部８０は、ベルト部８１及び複数のボタン部８２を備えると説明したが、これに限られない。例えば、図１２に示すように、調節部８０は、右下側部分及び左下側部分の各々に設けられ、雄側調節部８３及び雌側調節部８４を備えてもよい。このうち、雄側調節部８３は、例えば公知の雄スナップボタンを用いて構成されており、図１２に示すように、後身頃１２に対して縫着等により固定されている。また、雌側調節部８４は、例えば公知の雌スナップボタンを用いて構成されており、図１２に示すように、雄側調節部８３と相互に間隔を隔てて配置され（具体的には、雄側調節部８３よりも左右方向の内側の位置に配置されており）、後身頃１２に対して縫着等により固定されている。このような構造によっても、着用者の状態に応じて通気量を調節することができ、着用者の快適性をさらに向上させることができる。
【００８９】
（側方通気部について）
第１側方通気部５１又は第２側方通気部５２は、一例として、衣服１の右側方部又は左側方部のうち、着用者の股関節及び坐骨を含む範囲と対応する部分に設けられてもよく、後身頃１２に形成されてもよく、あるいは前身頃１１及び後身頃１２に形成されてもよい。また、上記実施の形態では、側方通気部がメッシュ素材にて形成されていると説明したが、これに限られない。例えば、メッシュ素材と略同様に、通気性及び意匠性を維持することが可能であれば、メッシュ素材に代えて、複数の通気孔を有する織物素材や多層ニット素材にて形成されてもよい（上方通気部も同様とする）。
【００９０】
（上方通気部について）
上記実施の形態では、衣服本体１０に第１上方通気部６１、第２上方通気部６２、第３上方通気部６３が形成されていると説明したが、これに限られない。例えば、クーリング効果を向上させるために、前身頃１１の襟部１５近傍部分に上方通気部をさらに形成してもよい。第３上方通気部６３は、一例として、後身頃１２における着用者の一対の肩甲骨の一方と対応する部分に設けられてもよい。
【００９１】
（通気促進部について）
上記実施の形態では、衣服本体１０に第１通気促進部７１、第２通気促進部７２、及び第３通気促進部７３が形成されていると説明したが、これに限られず、例えば、衣服１の製造コストを低減するために、第１通気促進部７１、第２通気促進部７２、又は第３通気促進部７３の少なくともいずれか１つを省略してもよい。
【００９２】
（第２右側ポケット部及び第２左側ポケット部について）
上記実施の形態では、第２右側ポケット部２３が、第１右側ポケット部２１の衣服外側面の下方部分を覆うように設けられており、第２左側ポケット部２４が、第１左側ポケット部２２の衣服外側面の下方部分を覆うように設けられていると説明したが、これに限られない。例えば、第１側方通気部５１が、前身頃１１における右側方部のうち、第１非通気部４１の下端部から着用者の肋骨に対応する部分に至る部分に設けられている場合には、第２右側ポケット部２３は、第１側方通気部５１の直下に設けられてもよい（なお、第２左側ポケット部２４についても同様とする）。このような構成により、第２右側ポケット部２３（又は第２左側ポケット部２４）に収容物が収容されている場合において、着用者が図６に示す前屈み状態になった場合に、第２右側ポケット部２３（又は第２左側ポケット部２４）、及び収容物の重みによって第２右側ポケット部２３（又は第２左側ポケット部２４）の周辺部分が垂れ下がることで対応する側方通気部（第１側方通気部５１又は第２側方通気部５２）と着用者の腹との相互間に隙間が生じやすくなる。あるいは、第２右側ポケット部２３（又は第２左側ポケット部２４）に収容物が収容されていない場合において、着用者が前屈み状態になった場合に、第２右側ポケット部２３（又は第２左側ポケット部２４）の重みによって第２右側ポケット部２３（又は第２左側ポケット部２４）の周辺部分が垂れ下がることで対応する側方通気部（第１側方通気部５１又は第２側方通気部５２）と着用者の腹との相互間に隙間が生じやすくなる。よって、着用者が前屈み状態となる動作と他の動作を行うことによってポンピング効果を得ることができるので、クーリング効果をさらに一層向上させることができる。
【００９３】
（付記）
付記１の衣服は、着用者が医療業務、看護業務、又は介護業務に従事する際に着用する衣服であり、前身頃と後身頃とを有する上衣を少なくとも備えた衣服であって、前記前身頃又は前記後身頃における左側方部又は右側方部のうち、着用者の脇部よりも下方側の部分に対応する部分に、所定の基準値未満の通気性を有する非通気部を形成し、前記前身頃又は前記後身頃における左側方部又は右側方部のうち、前記非通気部よりも下方側の部分に、前記所定の基準値以上の通気性を有する側方通気部を形成した。
【００９４】
付記２の衣服は、付記１に記載の衣服において、前記非通気部よりも上方側の部分に、前記所定の基準値以上の通気性を有する上方通気部であって、前記側方通気部から当該衣服の内部に吸気された空気を当該衣服の外部に排気するための上方通気部を形成した。
【００９５】
付記３の衣服は、付記２に記載の衣服において、前記後身頃における前記着用者の一対の肩甲骨の間と対応する部分に、前記上方通気部を形成した。
【００９６】
付記４の衣服は、付記１から３のいずれか一項に記載の衣服において、前記着用者の腹と前記前身頃における前記着用者の腹に対応する部分との相互間に形成される隙間の変動量であって、前記着用者が所定動作を行うことに伴う前記隙間の変動量を増加させることにより、前記側方通気部の通気を促進させるための通気促進手段を、前記前身頃に形成した。
【００９７】
付記５の衣服は、付記４に記載の衣服において、前記隙間の変動量を調節するための調節手段を備えた。
【００９８】
付記６の衣服は、付記１から５のいずれか一項に記載の衣服において、前記側方通気部の一部のみが当該衣服の外側から覆われる位置に、第１ポケット部を設けた。
【００９９】
付記７の衣服は、付記６に記載の衣服において、前記側方通気部及び前記第１ポケット部の各々の一部のみが外側から覆われる位置に、第２ポケット部を設けた。
【０１００】
（付記の効果）
付記１に記載の衣服によれば、前身頃又は後身頃における左側方部又は右側方部のうち、着用者の脇部よりも下方側の部分に対応する部分に、所定の基準値未満の通気性を有する非通気部を形成し、前身頃又は後身頃における左側方部又は右側方部のうち、非通気部よりも下方側の部分に、所定の基準値以上の通気性を有する側方通気部を形成したので、側方通気部のみを介して衣服の内部と外部の相互間で換気を行ったり、側方通気部を介して吸気した空気を衣服の襟口部や袖口部から排気して換気を行ったりすることができる（後述する煙突効果を利用した通気）。このため、従来のような着用者の首回りのみの冷却とは異なり、着用者の胴部全体を冷却することができ、着用者の快適性を向上させることが可能になる。
【０１０１】
付記２に記載の衣服によれば、非通気部よりも上方側の部分に、所定の基準値以上の通気性を有する上方通気部であって、側方通気部から衣服の内部に吸気された空気を衣服の外部に排気するための上方通気部を形成したので、側方通気部を介して吸気した空気を上方通気部を介して排気して換気することができる（後述する煙突効果を利用した通気）。このため、着用者の胴部全体を一層冷却することができ、着用者の快適性を一層向上させることが可能になる。また、側方通気部と上方通気部の相互間に非通気部を配置することで、これらを単に相互に連接させる場合に比べて、着用者の下着又は肌が透ける範囲を狭くすることができる。このため、着用者の下着又は肌が外部に露出することを抑制することができ、着用者の利便性を向上させることが可能になる。
【０１０２】
付記３に記載の衣服によれば、後身頃における着用者の一対の肩甲骨の間と対応する部分に、上方通気部を形成したので、特に着用者が後述する腕真上上げ起立状態になった場合に、着用者の一対の肩甲骨が盛り上がることで上方通気部と着用者の背中との相互間に隙間が生じることにより、上方通気部を介して吸気される空気量を増大させることができる。このため、着用者の胴部全体を一層冷却することができ、着用者の快適性を一層向上させることが可能になる。
【０１０３】
付記４に記載の衣服によれば、着用者の腹と前身頃における着用者の腹に対応する部分との相互間に形成される隙間の変動量であって、着用者が所定動作を行うことに伴う隙間の変動量を増加させることにより、側方通気部の通気を促進させるための通気促進手段を、前身頃に形成したので、衣服のフィット性を維持しながら、側方通気部による通気を促進させることができる。例えば、着用者が後述する前屈み状態になった場合には、通気促進部が垂れ下がることで側方通気部と着用者の腹との相互間に隙間が生じやすくなることにより、側方通気部を介して吸気される空気量を増大させることができる。その後、着用者が前屈み状態以外の姿勢状態となった場合には、上記隙間がなくなることにより、上記吸気された空気を衣服の外部に押し出す（排気する）ことができる。これらのことから、いわゆるポンピング効果を得ることができ、着用者の胴部全体を一層冷却することができて、着用者の快適性を一層向上させることが可能になる。
【０１０４】
付記５に記載の衣服によれば、隙間の変動量を調節するための調節手段を備えたので、着用者の状態に応じて通気量を調節することができ、例えば、室温が比較的高い場合には隙間の変動量を大きくすることで着用者の冷却効果を大きくし、室温が比較的低い場合には隙間の変動量を小さくすることで着用者の冷却効果を小さくすることで、着用者の冷却効果を調節でき、着用者の快適性を一層向上させることが可能になる。
【０１０５】
付記６に記載の衣服によれば、側方通気部の一部のみが衣服の外側から覆われる位置に、第１ポケット部を設けたので、第１ポケット部によって側方通気部が覆われていない場合と比べて、略同様の通気機能を有しながら、側方通気部を目立ちにくくすることができる。このため、衣服の通気性を維持しながら、衣服の意匠性を維持することが可能になる。また、第１ポケット部に収容物が収容されていない場合において、着用者が前屈み状態になった場合に、第１ポケット部の重みによって、第１ポケット部の周辺部分が垂れ下がることで、側方通気部と着用者の腹との相互間に隙間が生じやすくなる。あるいは、第１ポケット部に収容物が収容されている場合において、着用者が前屈み状態になった場合には、第１ポケット部及び収容物の重みによって、第１ポケット部の周辺部分が垂れ下がることで、側方通気部と着用者の腹との相互間に隙間が生じやすくなる。これらのことから、着用者が前屈み状態になった場合において側方通気部を介して吸気される空気量を増大させることができ、着用者の胴部全体を一層冷却することができて、着用者の快適性を一層向上させることが可能になる。
【０１０６】
付記７に記載の衣服によれば、側方通気部及び第１ポケット部の各々の一部のみが外側から覆われる位置に、第２ポケット部を設けたので、第２ポケット部に収容物が収容されていない場合において、着用者が前屈み状態になった場合に、第１ポケット部及び第２ポケット部の重みによって第２ポケット部の周辺部分が垂れ下がることで側方通気部と着用者の腹との相互間に隙間が生じやすくなる。あるいは、第２ポケット部に収容物が収容されている場合において、着用者が前屈み状態になった場合に、第１ポケット部と第２ポケット部及び収容物の重みによって第２ポケット部の周辺部分が垂れ下がることで側方通気部と着用者の腹との相互間に隙間が生じやすくなる。これらのことから、着用者が前屈み状態になった場合において側方通気部を介して吸気される空気量を増大させることができ、着用者の胴部全体を一層冷却することができて、着用者の快適性を一層向上させることが可能になる。
【符号の説明】
【０１０７】
１  衣服
１０  衣服本体
１１  前身頃
１２  後身頃
１３  右袖部
１４  左袖部
１５  襟部
１６  襟口部
１７  裾口部
１８  袖口部
２１  第１右側ポケット部
２２  第１左側ポケット部
２３  第２右側ポケット部
２４  第２左側ポケット部
２５  第３ポケット部
２６  第４ポケット部
３０  襟口部調節部
４１  第１非通気部
４２  第２非通気部
５１  第１側方通気部
５２  第２側方通気部
６１  第１上方通気部
６２  第２上方通気部
６３  第３上方通気部
７１  第１通気促進部
７２  第２通気促進部
７３  第３通気促進部
８０  調節部
８１  ベルト部
８１ａ  切欠部
８２  ボタン部
８３  雄側調節部
８４  雌側調節部
【図１】
2018040080.tif 000003
【図２】
2018040080.tif 000004
【図３】
2018040080.tif 000005
【図４】
2018040080.tif 000006
【図５】
2018040080.tif 000007
【図６】
2018040080.tif 000008
【図７】
2018040080.tif 000009
【図８】
2018040080.tif 000010
【図９】
2018040080.tif 000011
【図１０】
2018040080.tif 000012
【図１１】
2018040080.tif 000013
【図１２】
2018040080.tif 000014